(57)【要約】【課題】  加熱調理器が外部の機器から取得した情報に基づいて動作をしているかを使用者が把握し易い加熱調理器を提供する。【解決手段】  被加熱物を加熱する加熱部と、加熱部の動作を制御する制御部と、外部の機器と通信を行うための通信部と、加熱条件が表示される表示部と、を備える加熱調理器において、通信部は、外部の機器と通信することでレシピ情報を取得し、表示部には、加熱調理器がレシピ情報を取得したことを示す第１のアイコンが表示され、第１のアイコンは、制御部によって加熱部が動作した後も表示される。【選択図】  図１０
2020202142.tif 000002
【特許請求の範囲】
【請求項１】
被加熱物を加熱する加熱部と、
前記加熱部の動作を制御する制御部と、
外部の機器と通信を行うための通信部と、
加熱条件が表示される表示部と、を備える加熱調理器において、
前記通信部は、前記外部の機器と通信することでレシピ情報を取得し、
前記表示部には、加熱調理器が前記レシピ情報を取得したことを示す第１のアイコンが表示され、
前記第１のアイコンは、前記制御部によって前記加熱部が動作した後も表示される、加熱調理器。
【請求項２】
請求項１に記載の加熱調理器において、
複数の前記加熱部を備え、
前記通信部は、前記外部の機器と通信することで、複数の前記加熱部のうちどの加熱部を用いるかに関する場所情報を取得し、
前記表示部には、前記場所情報に対応して前記第１のアイコンが表示される、加熱調理器。
【請求項３】
請求項１または２に記載の加熱調理器において、
前記表示部には、前記外部の機器と加熱調理器との通信状況を示す第２のアイコンが表示される、加熱調理器。
【請求項４】
被加熱物を加熱する加熱部と、
前記加熱部の動作を制御する制御部と、
外部の機器と通信を行うための通信部と、
加熱条件が表示される表示部と、を備えた加熱調理器と
前記加熱調理器と通信可能な外部の機器と、を備える加熱調理器システムにおいて、
前記通信部は、前記外部の機器と通信することでレシピ情報を取得し、
前記表示部には、前記加熱調理器が前記レシピ情報を取得したことを示す第１のアイコンが表示され、
前記第１のアイコンは、前記制御部によって前記加熱部が動作した後も表示される、加熱調理システム。
【請求項５】
被加熱物を加熱する加熱部と、前記加熱部の動作を制御する制御部と、外部の機器と通信を行うための通信部と、加熱条件が表示される表示部と、を備える加熱調理器の表示方法において、
前記通信部が前記外部の機器と通信することでレシピ情報を取得するステップと、
前記加熱調理器が前記レシピ情報を取得したことを示す第１のアイコンを前記表示部に表示するステップと、
前記第１のアイコンを前記制御部によって前記加熱部が動作した後も表示するステップと、を含む、加熱調理器の表示方法。
【発明の詳細な説明】
【技術分野】
【０００１】
本発明は、加熱調理器、加熱調理システムおよび加熱調理器の表示方法に関する。
【背景技術】
【０００２】
加熱調理器と通信端末とが無線通信を行うことでデータをやり取りする技術として、例えば特許文献１に記載の技術がある。
【０００３】
特許文献１には、通信端末と無線で送受信を行う通信手段を加熱調理器に設け、この通信手段を利用して通信端末と通信することで加熱調理の調理データを加熱調理器が受信し、受信した調理データを加熱調理器の表示部に表示する加熱調理器が記載されている。
【先行技術文献】
【特許文献】
【０００４】
【特許文献１】特開２０１５−７２８０２号公報
【発明の概要】
【発明が解決しようとする課題】
【０００５】
加熱調理器に調理データを設定する方法は、使用者が加熱調理器の操作ボタンを操作することで調理データを設定する方法と、使用者が通信端末を操作することで調理データを加熱調理器に送る方法の、大きく２つに分けることができる。
【０００６】
特許文献１には後者の方法が記載されている。しかし、調理データに含まれている情報は数量、火力、時間、電力量である。よって、加熱調理器の加熱手段が外部から送信された調理データに基づいて動作しているか否かは判断できない。
【０００７】
本発明は、加熱調理器が外部の機器から取得した情報に基づいて動作をしているかを使用者が把握し易い加熱調理器を提供することを目的とする。
【課題を解決するための手段】
【０００８】
本発明は、上記の課題を解決するためになされたものであり、被加熱物を加熱する加熱部と、加熱部の動作を制御する制御部と、外部の機器と通信を行うための通信部と、加熱条件が表示される表示部と、を備える加熱調理器において、通信部は、外部の機器と通信することでレシピ情報を取得し、表示部には、加熱調理器がレシピ情報を取得したことを示す第１のアイコンが表示され、第１のアイコンは、制御部によって加熱部が動作した後も表示されるものである。
【０００９】
また、上記課題を解決する第２の発明は、被加熱物を加熱する加熱部と、加熱部の動作を制御する制御部と、外部の機器と通信を行うための通信部と、加熱条件が表示される表示部と、を備えた加熱調理器と加熱調理器と通信可能な外部の機器と、を備える加熱調理器システムにおいて、通信部は、外部の機器と通信することでレシピ情報を取得し、表示部には、加熱調理器がレシピ情報を取得したことを示す第１のアイコンが表示され、第１のアイコンは、制御部によって加熱部が動作した後も表示されるものである。
【００１０】
また、上記課題を解決する第３の発明は、  被加熱物を加熱する加熱部と、加熱部の動作を制御する制御部と、外部の機器と通信を行うための通信部と、加熱条件が表示される表示部と、を備える加熱調理器の表示方法において、通信部が外部の機器と通信することでレシピ情報を取得するステップと、加熱調理器がレシピ情報を取得したことを示す第１のアイコンを表示部に表示するステップと、第１のアイコンを制御部によって加熱部が動作した後も表示するステップと、を含むものである。
【発明の効果】
【００１１】
本発明によれば、加熱調理器が外部の機器から取得した情報に基づいて動作をしているかを使用者が把握し易い加熱調理器を提供することができる。上記した以外の課題、構成及び効果は以下の実施形態の説明により明らかにされる。
【図面の簡単な説明】
【００１２】
【図１】本発明の一実施形態に係る、加熱調理システムの外観斜視図である。
【図２】本発明の一実施形態に係る、加熱調理システムの制御ブロック図である。
【図３】本発明の一実施形態に係る、上面表示部にスマホアイコンが点灯して消灯するまでの使用者、通信端末、誘導加熱調理器の関係を示すシーケンス図である。
【図４】本発明の一実施形態に係る、レシピ選択画面の一例を表示した通信端末の表示画面である。
【図５】本発明の一実施形態に係る、レシピの一例を表示した通信端末の表示画面である。
【図６】本発明の一実施形態に係る、レシピ送信ボタンを押下した後の、通信端末の表示画面である。
【図７】本発明の一実施形態に係る、レシピ送信ボタンを押下した後の、通信端末の表示画面である。
【図８】本発明の一実施形態に係る、誘導加熱調理器の使用状況を表示した通信端末の表示画面である。
【図９】本発明の一実施形態に係る、右ＩＨを用いた調理が終了したことが表示された通信端末の表示画面である
【図１０】本発明の一実施形態に係る、上面表示部の図である。
【図１１】本発明の一実施形態に係る、上面表示部の図である。
【図１２】本発明の一実施形態に係る、上面表示部の図である。
【図１３】本発明の一実施形態に係る、上面表示部の図である。
【発明を実施するための形態】
【００１３】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の構成を適宜組み合わせることも当初から予定している。また、本発明を説明するための全図において、同一の機能を有するものは、同一の符号を付け、その繰り返しの説明は省略する場合がある。
【００１４】
図１は、本発明の一実施形態に係る加熱調理システムの外観斜視図である。図２は、本発明の一実施形態に係る加熱調理システムの制御ブロック図である。
【００１５】
なお、本実施例では、加熱調理器の一例として誘導加熱調理器の例で説明するが、ガス調理器、電気ヒータ等の加熱調理器にも適用できる。
【００１６】
図１において、誘導加熱調理器１００の本体１０１の上面には、耐熱性の高い素材、例えば、結晶化ガラス等のトッププレート１０２が載置されている。トッププレート１０２の周囲の端部は、トッププレート枠１０３で覆われている。トッププレート１０２とトッププレート枠１０３との間には、シール材が充填されており、これによりトッププレート枠１０３はトッププレート１０２に固着されている。そして、トッププレート１０２の上に液体がこぼれても、シール材により本体１０１内部への水の浸入が防止され水密構造が実現される。
【００１７】
また、トッププレート枠１０３は本体１０１にも固定されていて、本体１０１をシステムキッチン１１６に組み込むときには、トッププレート枠１０３で本体１０１を吊り下げて設置する。
【００１８】
トッププレート１０２の上面には、鍋位置表示部１０４、１０５、１０６が設けられており、鍋等の被加熱物の載置場所を表示している。
【００１９】
鍋位置表示部１０４、１０５、１０６の下部の本体１０１内には、加熱コイル２０１、２０２、２０３（図２）が設けられている。加熱手段としての加熱コイル２０１、２０２、２０３には、高周波電流を印加して高周波磁界を発生させ、トッププレート１０２に載置された鍋等の被加熱物を誘導加熱する。
【００２０】
グリル加熱手段１０７は、加熱コイル２０１、２０２、２０３の下方で本体１０１の左側または右側（本実施例では左側）の前面部に設けられている。グリル加熱手段１０７は、矩形状の箱体で構成されていて、内部に設けられた被加熱物を加熱するシーズヒータ２０４等の加熱手段を有している。
【００２１】
トッププレート枠１０３の後枠部には、開口した吸気部１０８が設けられており、インバータ回路２０５、２０６、２０７、ヒータ制御回路２０８、加熱コイル２０１、２０２、２０３等を冷却する空気を吸気する。
【００２２】
また、トッププレート枠１０３の後枠部には、開口した排気部１０９が設けられており、インバータ回路２０５、２０６、２０７、ヒータ制御回路２０８や加熱コイル２０１、２０２、２０３等を冷却した空気やグリル加熱手段１０７からの排煙を排気する。そして、吸気部１０８、及び排気部１０９は、トッププレート１０２上にこぼした液体が開口部から吸気部１０８や排気部１０９内に落下しても本体１０１内部のインバータ回路２０５等に浸入しない構成となっている。
【００２３】
本体１０１の左側または右側（本実施例では右側）の本体１０１前面部には、開閉収納式の前面操作部１１０が設けられている。この前面操作部１１０は主にグリル加熱手段１０７を操作するものであり、グリル加熱手段１０７の隣に位置するように設けられている。
【００２４】
また、前面操作部１１０は、閉じているときに上部を本体１０１側に押すことによりロック装置（図示せず）が解除され、前面操作部１１０の上部がバネにより前面側にゆっくりと回動して飛び出すようになっており、逆に閉じるときは上部を本体１０１側に向かって押し込むことにより本体１０１に収納され、ロック装置により保持される構成となっている。なお、図１は前面操作部１１０が開いている状態を示す。
【００２５】
前面操作部１１０の前面操作キー１１０ａは、グリル加熱手段１０７のシーズヒータへの電力を入切する等の操作を行い、前面操作キー１１０ａで操作した内容は前面表示部１１０ｂで使用者に判り易く表示される。
【００２６】
前面操作部１１０の上方には、誘導加熱調理器１００の主電源の入切を行う電源切／入スイッチ１１１と、後述する通信手段１１４が設けられている。
【００２７】
トッププレート１０２の手前側には、上面操作部１１２が設けられており、夫々の加熱コイル２０１、２０２、２０３の出力等を調整する上面操作キー１１２ａから構成されている。また、トッププレート１０２の手前側には、上面操作キー１１２ａで操作した内容を表示する上面表示部１１３が設けられている。上面表示部１１３には、上面操作キー１１２ａで操作することで定められた加熱条件等が表示される。
【００２８】
本実施例の誘導加熱調理器１００は、無線ルータ１３０と無線通信を行う通信機能を備えている。また、スマートフォン、タブレットといった通信端末１２０も同様に、無線ルータ１３０と無線通信を行う通信機能を備えている。それぞれ、無線ルータ１３０との間でＷｉＦｉ（登録商標）等の無線ＬＡＮによる無線通信を行う。無線ルータ１３０はインターネット等のネットワーク１４０に接続されている。誘導加熱調理器１００および通信端末１２０は、無線ルータ１３０、ネットワーク１４０を介して、サーバ１５０にアクセス可能である。そして、誘導加熱調理器１００と通信端末１２０は無線ルータ１３０を介して通信可能である。なお、誘導加熱調理器１００と通信端末１２０との間の通信はこれに限られない。ブルートゥース（登録商標）等、数ｍから数十ｍ程度の距離で無線通信を行う近距離無線通信規格を利用して、誘導加熱調理器１００と通信端末１２０との間で通信しても良い。
【００２９】
通信端末１２０は誘導加熱調理器１００の調理に関係するアプリケーションソフトウェアをサーバ１５０からダウンロードし、インストールする。
【００３０】
誘導加熱調理器１００には商用電源２１０が入力される。フィルタ回路を搭載したフィルタ手段２１１は、インバータ回路より生じる雑音ノイズを抑制し、雑音ノイズが商用電源２１０に漏洩することを防ぐ。
【００３１】
マイクロコンピュータで構成された制御手段２１２は、前面操作部１１０や、上面操作部１１２の操作信号を入力し、前面表示部１１０ｂ、上面表示部１１３に表示信号を出力する。また、制御手段２１２は、通信手段１１４や通信手段１１５を介して外部の機器から受信した情報に応じて、前面表示部１１０ｂや上面表示部１１３に表示信号を出力する。
【００３２】
また、制御手段２１２は、ヒータ制御回路２０８に制御信号を出力してシーズヒータ２０４の通電を制御したり、インバータ回路２０５、２０６、２０７に制御信号を出力して加熱コイル２０１、２０２、２０３に供給する電力を制御する。
【００３３】
また、制御手段２１２には、無線ルータ１３０と通信を行う通信手段１１４と、通信端末１２０と通信を行う通信手段１１５と、機器の使い方や調理の終了等を音楽や音声で使用者に知らせる報知部２１３が接続されている。
【００３４】
通信端末１２０には、無線ルータ１３０との無線通信を行う通信手段１２１と、誘導加熱調理器１００の通信手段１１５と無線通信を行う通信手段１２２と、表示画面上でダッチ操作を行う操作・表示部１２３と、機器の使い方や調理の終了等を音楽や音声で使用者に知らせる報知部１２４と、アプリケーションソフトウェア等を記憶する記録手段１２５とを備えている。
【００３５】
本実施例の通信端末１２０には、サーバ１５０からダウンロードしたアプリケーションソフトウェア（以下アプリと称する）がインストールされている。
【００３６】
また、本実施例では、通信端末１２０と誘導加熱調理器１００とを無線で接続するにあたり、相互認証を行う。相互認証は一度行えば設定が完了し、相互認証完了により、通信端末１２０と誘導加熱調理器１００は、誘導加熱調理機１００がＷｉＦｉ等の無線ＬＡＮによる無線通信を行っている場合には自動接続される。
【００３７】
次に、図３〜５を用いて、本発明の一実施形態を説明する。図３は、上面表示部１１３にスマホアイコン６０１が点灯して消灯するまでの使用者、通信端末、誘導加熱調理器の関係を示すシーケンス図である。図４は、レシピ選択画面の一例を表示した通信端末１２０の表示画面である。図５は、レシピの一例を表示した通信端末の表示画面である。
【００３８】
まず、使用者は通信端末１２０を操作し、通信端末１２０にインストールされているアプリを起動する（ステップＳ３０１）。そして、アプリを用いてレシピを検索・閲覧する。レシピの検索・閲覧にあたり、通信端末１２０の操作・表示部１２３には、図４に示すような画面、例えば、「肉の調理」「魚介類の調理」「野菜の調理」といった内容が表示される。そして、「肉の調理」の箇所の画面をタッチすると、肉料理に関する一覧が表示される。その中から任意のレシピを選択することで、そのレシピが表示される。
【００３９】
レシピを選択すると、通信端末１２０の操作・表示部１２３には、図５に示すようなレシピ情報が画面に表示される（ステップＳ３０２）。操作・表示部１２３には、料理の画像と、調理に必要な材料と、作り方が表示されている。このレシピで調理を進める場合には、誘導加熱調理器１００の電源切／入スイッチ１１１を押して、電源をＯＮする（ステップＳ３０３）。
【００４０】
電源ＯＮ後、誘導加熱調理器１００とサーバ１５０の接続が確立され、接続状態アイコン６００が表示される（ステップS５００）。その後、使用者は通信端末１２０の操作・表示部１２３に表示されているレシピ送信１２３ａを押下する。
【００４１】
接続状態アイコン６００が表示されることにより、通信端末１２０と誘導加熱調理器１００とが接続中かどうかを使用者が判断できる。言い換えると、通信端末１２０でレシピを選択した場合にレシピ情報を誘導加熱調理器１００に送信可能か、または通信端末１２０を用いて誘導加熱調理器１００を操作可能かを、接続状態アイコン６００の有無で判断できる。なお、接続状態アイコン６００が点滅している場合は、誘導加熱調理器１００と通信端末１２０とが接続中であることを表す。
【００４２】
次に、通信端末１２０は無線ルータ１３０を介して誘導加熱調理器１００にレシピ情報を送信する（ステップＳ３０７）。なお、レシピ情報は通信端末１２０に保存されている情報でも、サーバ１５０に保存されている情報でも、どちらでも良い。後者の場合は、通信端末１２０を操作することで、サーバ１５０に対して誘導加熱調理器１００にレシピ情報を送信するように指示することになる。
【００４３】
ここで、レシピ情報とは、例えばそのレシピを調理する際の火加減・調理時間を含む情報のことをいう。
【００４４】
誘導加熱調理器１００はレシピ情報を受信すると、火加減・調理時間等のメニューが設定される（ステップＳ３０８）。そして、上面表示部１１３にスマホアイコン６０１が点灯する（ステップＳ５０１）。上面表示部１１３にスマホアイコン６０１が点灯することで、通信端末１２０から送られたレシピ情報を誘導加熱調理器が受信済みであることが一目で分かる。よって、通信端末１２０としてはレシピ情報を送信したが何かしらの理由で誘導加熱調理器１００がレシピ情報を受信しておらず、レシピ情報に基づいて誘導加熱調理器を動作させることができないという事態を防ぐことができる。なお、ステップＳ３０８とステップＳ５０１の順番は逆でもよい。
【００４５】
レシピ情報に基づいてメニューが設定されると、誘導加熱調理器１００は通信端末１２０にスタンバイ状態となった情報を送信する（ステップＳ３０９）。
【００４６】
本実施例において、スマホアイコン６０１とは、誘導加熱調理器１００が通信端末１２０からレシピ情報を受信した状態になると、上面表示部１１３に表示されるアイコンである。つまり、スマホアイコン６０１と接続状態アイコン６００とは異なるものである。
【００４７】
なお、接続状態アイコン６００とスマホアイコン６０１とは別のアイコンにしなくても良い。例えば、接続状態アイコン６００の色が変化することでレシピ情報を受信済みであることを表しても良い。つまり、接続状態アイコン６００とスマホアイコン６０１を共有し、アイコンの色を変化させることや点滅させることで、通信端末１２０との接続状態およびレシピ情報の受信の有無を表しても良い。
【００４８】
誘導加熱調理器１００からの情報を通信端末１２０で確認した使用者は、誘導加熱調理器１００のスタートボタンを押下する。スタートボタンが押下されると、加熱手段に通電され、調理が開始される（ステップＳ３１０）。調理が開始されると、調理の状態が通信端末１２０に送信される（ステップＳ３１１）。そして、使用中の加熱手段、調理完了までの残時間といった状態が通信端末１２０の操作・表示部１２３に表示される（ステップＳ３１２）。
【００４９】
その後、通信端末１２０から受信したレシピ情報に応じた調理行程が終わったことから使用者が通電終了操作を行う、使用者が調理工程の途中で通電終了操作を行う、または調理工程が終了したが使用者が通電終了操作を行わなかったことにより切り忘れ防止機能が働くと、誘導加熱調理器１００は加熱手段への通電を中止し、調理を終了させる（ステップＳ３１３）。ここで、上面表示部１１３に表示されていたスマホアイコン６０１が消灯する（ステップＳ５０２）。つまり、スマホアイコン６０１は、調理開始後も調理が終了するまで表示され続ける。これにより、レシピ情報に基づいた調理が継続していることを、使用者は容易に確認することができる。
【００５０】
誘導加熱調理器１００は、調理が終了した状態であることを通信端末１２０に送信する（ステップＳ３１４）。
【００５１】
そして、報知部１２４が音声や音楽で終了した旨を知らせると共に、通信端末１２０には調理終了の状態が表示される（ステップＳ３１５）。これを受けて、使用者は誘導加熱調理器１００の電源切／入スイッチ１１１を押して、電源をＯＦＦする（ステップＳ３１６）。
【００５２】
なお、図３のフローはあくまでも一例であり、本明細書に開示される技術的思想の範囲内において当業者による様々な変更および修正が可能であり、各ステップを適宜入れ替えても良い。例えば、誘導加熱調理器１００が電源ＯＮ（ステップＳ３０３）となったタイミングで、誘導加熱調理器１００とサーバ１５０とを接続し、通信が確定されたらレシピ送信が可能となると説明したが、この順番に限られない。電源ＯＮ後、使用者がレシピ送信１２３ａを押下し、その後誘導加熱調理器１００とサーバ１５０とを接続し、レシピ送信が可能となってもよい。
【００５３】
図６は、使用者が図５のレシピ送信ボタン１２３ａを押下した後の、通信端末１２０の操作・表示部１２３の画面である。この画面では、選択されたレシピ情報に基づいた調理を行う加熱コイルを選択する。例えば、右側の加熱コイル２０１（右ＩＨ）を用いてレシピ情報に基づいた調理を行う場合は、図６の右ＩＨの画面にタッチをする。これにより、通信端末１２０から誘導加熱調理器１００に対して、レシピ情報およびレシピ情報に基づいた調理をどの加熱手段で行うかの情報（場所情報）を送信することができる。
【００５４】
図７は、図６にて第１のレシピ情報に基づいた調理を右ＩＨを用いることを決定したあと、第２のレシピ情報に基づいた調理を右ＩＨ以外のどの加熱コイル（左ＩＨまたは中央ＩＨ）を用いるかを選択するための画面である。右ＩＨは既に第１のレシピ情報に基づいた調理を実施中またはこれから実施する状態であるため、右ＩＨのアイコンを選択することができない。使用者は、左ＩＨまたは中央ＩＨの中から、第２のレシピ情報に基づいた調理を行う加熱コイルを選択する。
【００５５】
図８は、ステップＳ３１２で説明した、誘導加熱調理器１００の使用状況を表示した通信端末１２０の表示画面である。ステップＳ３１２で説明した通り、通信端末１２０には、図８に示すように使用中の加熱手段、調理完了までの残時間といった状態が表示される。例えば、右側の加熱コイル（右ＩＨ）が使用されていると、右ＩＨを示すリングが光り、右ＩＨが使用中であることを示す。また、使用中の右ＩＨを用いた調理が完了するまでの残時間が表示される。通信端末１２０と誘導加熱調理器１００は相互通信を行っていることから、残時間がリアルタイムに表示される。使用者は通信端末１２０を持ち歩くことで、誘導加熱調理器１００から離れた場所でも残時間を確認することができる。
【００５６】
図９は、ステップＳ３１５で説明した、右ＩＨを用いた調理が終了したことが表示された通信端末１２０の表示画面である。右ＩＨを用いた調理が完了すると、残り時間が０秒と表示される。そして、点灯していた右ＩＨを示すリングが消灯され、右ＩＨを使用していないことを示す。さらに、操作・表示部１２３には右ＩＨの調理が終了したことを示すように、調理終了の状態が表示される。これにより使用者は、レシピ情報に基づいた調理が終了していることを、通信端末１２０を用いて確認することができる。
【００５７】
図１０は、上面表示部１１３の図である。上面表示部１１３は、鍋位置表示部１０５に対応した加熱コイルに関する情報、つまり左ＩＨに関する情報が表示される表示部左１１３ａ、鍋位置表示部１０６に対応した加熱コイルに関する情報、つまり中央ＩＨに関する情報が表示される上示部中１１３ｂ、鍋位置表示部１０４に対応した加熱コイルに関する情報、つまり右ＩＨに関する情報が表示される表示部右１１３ｃの３つの画面に分かれている。
【００５８】
図１０において、接続状態アイコン６００は、表示部左１１３ａ、表示部中１１３ｂ、および表示部右１１３ｃに表示されている。つまり、誘導加熱調理器１００と通信端末１２０が接続状態であることを示している。なお、接続状態アイコン６００は表示部１１３ａ〜１１３ｃの全てに表示する必要は無い。例えば、表示部中１１３ｂに対応する中央ＩＨは使用者にとって奥側なので、使用者が使用する頻度が低い可能性が有る。この場合、使用者は表示部中１１３ｂを見る頻度が低いことから、接続状態アイコン６００を表示部左１１３ａと表示部右１１３ｃのみに表示しても、表示部左１１３ａのみに表示しても良い。
【００５９】
図６において使用者は右ＩＨを選択したことから、レシピ情報に基づいた調理を右ＩＨで行うという場所情報を誘導加熱調理器１００は受信している。よって、図１０では、スマホアイコン６０１が表示部右１１３ｃに表示されている。スマホアイコン６０１は、誘導加熱調理器１００が通信端末１２０から送信されたレシピ情報を受信していることを示しており、そのレシピ情報は右ＩＨを用いた調理に関することが分かる。よって、使用者は、スタートボタンを押下すると右ＩＨはレシピ情報に応じて動作することが一目で分かる。なお、スタートボタンを押下した後も、調理が終了するまでスマホアイコン６０１は表示され続ける。これにより、右ＩＨがレシピ情報に応じて動作中であることが一目で分かる。
【００６０】
通信端末１２０を用いて誘導加熱調理器１００に対してレシピ情報を送信した後、レシピ情報に応じた調理がどの加熱コイルで行われるかを確認するためには、通信端末１２０の画面をＯＮにして、アプリケーションの画面を確認する必要が有る。しかし、レシピ情報送信後に野菜を切るなどの調理を開始した場合、手が汚れているため使用者は通信端末１２０に触れたくない。そこで、場所情報に応じてスマホアイコン６０１が表示されることで、使用者は通信端末１２０に触れずとも、レシピ情報に応じた調理が行われる加熱コイルを確認することができる。
【００６１】
また、各加熱コイルに対応する表示部にスマホアイコン６０１が表示されていることで、使用者は手動調理を行う際に使用する加熱コイルを容易に選択することができる。図１０では、表示部左１１３ａおよび表示部中１１３ｂにスマホアイコン６０１が表示されていないことから、使用者は左ＩＨまたは中央ＩＨを用いて手動調理を行おうと判断できる。よって、誤ってレシピ情報に基づいた調理が設定されている右ＩＨを用いて手動調理を行ってしまうことを防ぐことができる。
【００６２】
図１１は、上面表示部１１３の図である。図７において使用者は右ＩＨに加えて更に左ＩＨを選択したことから、スマホアイコン６０１は場所情報に応じた表示部に表示される。具体的には、スマホアイコン６０１は表示部左１１３ａと表示部右１１３ｃに表示されている。スタートボタンを押下した後も、調理が終了するまでスマホアイコン６０１は表示され続ける。
【００６３】
図１２は、誘導加熱調理器１００と通信端末１２０が接続状態だがレシピ情報を受信していない場合の上面表示部１１３の図である。言い換えると、ステップＳ５０１以前の上面表示部１１３の図、またはステップＳ５０２以後の上面表示部１１３の図である。使用者は、３つの加熱手段の何れもがレシピ情報に基づいて動作中ではない、またはこれから動作しないことが一目で分かる。
【００６４】
図１３は、通信端末１２０と誘導加熱調理器１００との接続が切断されており、かつ誘導加熱調理器がレシピ情報を受信済みの状態を示す、上面表示部１１３の図である。例えば、誘導加熱調理器１００がレシピ情報を受信した後に通信端末１２０との接続が切断されてしまったとする。よって、上面表示部１１３では接続状態アイコン６００が消灯状態となる。
【００６５】
一方、誘導加熱調理器１００はレシピ情報を受信済みであることから、上面表示部１１３にはスマホアイコン６０１が表示されている。よって、使用者が調理をスタートすると、誘導加熱調理器１００は設定されたレシピ情報に基づいて加熱調理を行う。
【００６６】
例えば、通信端末１２０の電源が切れたことにより通信端末１２０との接続が切断された場合は、スマホアイコン６０１が表示されていないと、使用者は誘導加熱調理器１００がレシピ情報を受信しているか否かを確かめるために、通信端末１２０を再び起動する必要が有る。使用者は調理中は可能な限り調理器具以外の器具に触れたくないことから、これは非常に手間である。しかし、本発明は通信端末１２０の電源が切れていたとしてもスマホアイコン６０１が表示されていることで、誘導加熱調理器１００がレシピ情報を受信していることが一目で分かる。これにより、前述の手間を省略することができ、レシピ情報に基づいた調理をスムーズに行うことができる。
【００６７】
スマホアイコン６０１と接続状態アイコン６００とを別々とすることで、通信端末１２０との接続が切断されているがレシピ情報は受信済みであることを、使用者に分かりやすく伝えることができる。
【００６８】
なお、レシピ情報に基づいた調理を実施している加熱コイルを用いて手動調理を行う場合は、次の手法が考えられる。例えば、誘導加熱調理器１００がレシピ情報を受信したあとにスタートボタンを押さずに所定の時間が経過することで、レシピ情報が削除される仕様とすることが考えられる。または、レシピ情報に基づいた調理の取り消しボタンを、誘導加熱調理器１００または通信端末１２０に設けておくのも良い。または、誘導加熱調理器１００自体の電源を落とすことも考えられる。
【００６９】
また、前述の一実施形態では、加熱手段として誘導加熱方式を採用した加熱調理器を例に説明した。しかし、燃焼式の加熱手段や電熱式の加熱手段であってもよく、これらの加熱手段を組み合わせた加熱調理器であってもよい。
【００７０】
なお、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００７１】
１００  誘導加熱調理器、１０１  本体、１０２  トッププレート、１０４〜１０６  鍋位置表示部、１０７  グリル加熱手段、１０８  吸気部、１０９  排気部、１１０  前面操作部、１１０ａ  前面操作キー、１１０ｂ  前面表示部、１１１  電源切／入スイッチ、１１２  上面操作部、１１２ａ  上面操作キー、１１３  上面表示部、１１４  通信手段、１１５  通信手段、１１６  システムキッチン、１２０  通信端末、１２１〜１２２  通信手段、１２３  操作・表示部、１２３ａ  レシピ送信  １２４  報知部、１２５  記録手段、１３０  無線ルータ、１４０  ネットワーク、１５０  サーバ、２０１〜２０３  加熱コイル、２０４  シーズヒータ、２０５〜２０７  インバータ回路、２０８  ヒータ制御回路、２１０  商用電源、２１１  フィルタ手段、２１２  制御手段、２１３  報知部、６００  接続状態アイコン、６０１  スマホアイコン
【図１】
2020202142.tif 000003
【図２】
2020202142.tif 000004
【図３】
2020202142.tif 000005
【図４】
2020202142.tif 000006
【図５】
2020202142.tif 000007
【図６】
2020202142.tif 000008
【図７】
2020202142.tif 000009
【図８】
2020202142.tif 000010
【図９】
2020202142.tif 000011
【図１０】
2020202142.tif 000012
【図１１】
2020202142.tif 000013
【図１２】
2020202142.tif 000014
【図１３】
2020202142.tif 000015